(57)【要約】【課題】盤本体の前面に設けられる前部品と盤本体の裏面に設けられる裏部品との前側または裏側からの着脱容易化を図る。【解決手段】裏部品４の裏支柱１２５が盤本体２の裏側から逃孔１２１に挿入され、前部品３の前支柱１２２が盤本体２の前側から逃孔１２１に挿入されて嵌合部１２７に前後方向で直線的に嵌め込まれた後、止ねじ１２８が前部品３の前側からねじ挿入孔１２３を経由してねじ取付孔１２６に締結され、前部品３が逃孔１２１を塞ぎ、前部品３の裏面が盤本体２の前面に接触し、裏部品４の前面が盤本体２の裏面に接触し、前部品３と裏部品４とが盤本体２を前後方向から挟み付けて盤本体２に取り付けられる。また、裏部品４と裏支柱１２５とがねじ挿入孔１２３を備え、前支柱１２２がねじ取付孔１２６を備え、止ねじ１２８が裏部品４の裏側からねじ挿入孔１２３を経由してねじ取付孔１２６に締結されても同様に適用できる。【選択図】図１
2005143911.tif 000002
【特許請求の範囲】
【請求項１】
盤本体の前面に前部品を備え、盤本体の裏面に裏部品を備えたパチンコ機の遊技盤において、盤本体が前後方向に貫通する逃孔を備え、前部品が前支柱を前部品における盤本体の側に位置する裏面に備え、前部品と前支柱とが前部品と前支柱とにわたり前後方向に貫通するねじ挿入孔を備え、裏部品が裏支柱を裏部品における盤本体の側に位置する前面に備え、裏支柱が裏支柱における盤本体の側に位置する前面にねじ取付孔を備え、前支柱が盤本体の前側から逃孔に挿入され、裏支柱が盤本体の裏側から逃孔に挿入され、止ねじが前部品の前側からねじ挿入孔を経由して裏支柱のねじ取付孔に締結されることによって、前部品が逃孔を塞ぎ、前部品と裏部品とが盤本体を前後方向から挟み付けて盤本体に取り付けられたことを特徴とするパチンコ機の遊技盤。
【請求項２】
盤本体の前面に前部品を備え、盤本体の裏面に裏部品を備えたパチンコ機の遊技盤において、盤本体が前後方向に貫通する逃孔を備え、前部品が前支柱を前部品における盤本体の側に位置する裏面に備え、前支柱が前支柱における盤本体の側に位置する裏面にねじ取付孔を備え、裏部品が裏支柱を裏部品における盤本体の側に位置する前面に備え、裏部品と裏支柱とが裏部品と裏支柱とにわたり前後方向に貫通するねじ挿入孔を備え、前支柱が盤本体の前側から逃孔に挿入され、裏支柱が盤本体の裏側から逃孔に挿入され、止ねじが裏部品の裏側からねじ挿入孔を経由して前支柱のねじ取付孔に締結されることによって、前部品が逃孔を塞ぎ、前部品と裏部品とが盤本体を前後方向から挟み付けて盤本体に取り付けられたことを特徴とするパチンコ機の遊技盤。
【請求項３】
前支柱または裏支柱が前支柱と裏支柱とを互いに前後方向で嵌め合う嵌合部を備えたことを特徴とする請求項１または請求項２記載のパチンコ機の遊技盤。
【請求項４】
前支柱と裏支柱とが複数対であることを特徴とする請求項１または請求項２記載のパチンコ機の遊技盤。
【請求項５】
前部品と裏部品とが互いに前後方向で嵌め合う嵌合部を備えたことを特徴とする請求項１または請求項２記載のパチンコ機の遊技盤。
【請求項６】
前部品または裏部品が盤本体の逃孔に接触する位置決定部を備えたことを特徴とする請求項１または請求項２記載のパチンコ機の遊技盤。
【請求項７】
盤本体が前面または裏面に位置決定部を備え、前部品が裏面にまたは裏部品が前面に盤本体の位置決定部に前後方向で互いに嵌り合う位置決定部を備えたことを特徴とする請求項１または請求項２記載のパチンコ機の遊技盤。
【発明の詳細な説明】
【技術分野】
【０００１】
本発明は、盤本体の前面に設けられる前部品と盤本体の裏面に設けられる裏部品とを前側または裏側のいずれか一方から着脱容易なパチンコ機の遊技盤に関する。
【背景技術】
【０００２】
パチンコ機の遊技盤は、盤本体の前面に前部品を備え、盤本体の裏面に裏部品を備えている。前部品は、ガイドレール、障害釘とも呼ばれる遊技釘、風車、サイドランプ、入賞部品、ハートと呼ばれるアウト口部品、盤面飾りなどである。遊技釘、風車、サイドランプ、入賞部品、アウト口部品は、ガイドレールで囲まれた盤本体の前面における遊技領域に配置される。盤面飾りは、ガイドレールよりも外側の盤本体の前面における非遊技領域に配置される。裏部品としては、例えば、遊技領域から入賞部品またはアウト口部品を経由して盤本体の裏側に排出される球を下方に誘導して排出するセット板または集合樋である。これらの前部品および裏部品にあっては、前部品の裏面に設けられた前側係合体と裏部品の前面に設けられた裏側係合体とが、盤本体に形成された逃孔を経由して互いに掛け止められることによって、前部品と裏部品とが逃孔の周りにおける盤本体を前後方向から挟み付けて盤本体に固定されることが知られている。しかしながら、前部品と裏部品とが盤本体に取り付けられた状態においては、前部品と裏部品とで塞がれた盤本体の逃孔の内部において、前側係合体と裏側係合体とが互いに前後方向と交差する横方向の凸凹で嵌り合う構造になっている。このため、盤本体に取り付けられた前部品と裏部品とを盤本体から取り外すには、多大な労力と時間が必要であるという欠点がある。
【特許文献１】実公平１−４０５３６号公報
【特許文献２】実公平６−４２７１０号公報
【特許文献３】実公平６−５８２８号公報
【発明の開示】
【発明が解決しようとする課題】
【０００３】
発明が解決しようとする問題点は、盤本体に取り付けられた前部品と裏部品とを盤本体から取り外すことをやりにくいという点である。
【課題を解決するための手段】
【０００４】
本発明に係るパチンコ機の遊技盤は、盤本体の前面に前部品を備え、盤本体の裏面に裏部品を備えたパチンコ機の遊技盤において、盤本体が前後方向に貫通する逃孔を備え、前部品が前支柱を前部品における盤本体の側に位置する裏面に備え、前部品と前支柱とが前部品と前支柱とにわたり前後方向に貫通するねじ挿入孔を備え、裏部品が裏支柱を裏部品における盤本体の側に位置する前面に備え、裏支柱が裏支柱における盤本体の側に位置する前面にねじ取付孔を備え、前支柱が盤本体の前側から逃孔に挿入され、裏支柱が盤本体の裏側から逃孔に挿入され、止ねじが前部品の前側からねじ挿入孔を経由して裏支柱のねじ取付孔に締結されることによって、前部品が逃孔を塞ぎ、前部品と裏部品とが盤本体を前後方向から挟み付けて盤本体に取り付けられたり、または、盤本体の前面に前部品を備え、盤本体の裏面に裏部品を備えたパチンコ機の遊技盤において、盤本体が前後方向に貫通する逃孔を備え、前部品が前支柱を前部品における盤本体の側に位置する裏面に備え、前支柱が前支柱における盤本体の側に位置する裏面にねじ取付孔を備え、裏部品が裏支柱を裏部品における盤本体の側に位置する前面に備え、裏部品と裏支柱とが裏部品と裏支柱とにわたり前後方向に貫通するねじ挿入孔を備え、前支柱が盤本体の前側から逃孔に挿入され、裏支柱が盤本体の裏側から逃孔に挿入され、止ねじが裏部品の裏側からねじ挿入孔を経由して前支柱のねじ取付孔に締結されることによって、前部品が逃孔を塞ぎ、前部品と裏部品とが盤本体を前後方向から挟み付けて盤本体に取り付けられたりすることを最も主要な特徴とする。前支柱または裏支柱が前支柱と裏支柱とを互いに前後方向で嵌め合う嵌合部を備えたり、前支柱と裏支柱とが複数対であったり、前部品と裏部品とが互いに前後方向で嵌め合う嵌合部を備えたり、前部品または裏部品が盤本体の逃孔に接触する位置決定部を備えたり、盤本体が前面または裏面に位置決定部を備え、前部品が裏面にまたは裏部品が前面に盤本体の位置決定部に前後方向で互いに嵌り合う位置決定部を備えたりすることも特徴とする。
【発明の効果】
【０００５】
本発明に係るパチンコ機の遊技盤は、止ねじが前部品の前側からねじ挿入孔を経由してねじ取付孔に締結されることによって、前部品と裏部品とが盤本体を前後方向から挟み付けて盤本体に取り付けられるので、盤本体に取り付けられた前部品と裏部品とを盤本体から取り外す場合、止ねじが、遊技盤の前側からドライバーのような工具で、締結解除方向に回転操作されることによって取り外されるだけで、前部品と裏部品とが、盤本体から取り外せる。よって、前部品と裏部品とを盤本体から取り外すことがやりやすくなるという利点がある。しかも、前部品と裏部品とが盤本体に取り付けられることによって、前部品が逃孔を盤本体の前側から見えないように塞ぐので、球が遊技領域を適切に流下するとともに遊技盤の前側からの見栄えもよくなるという利点がある。前支柱または裏支柱が前支柱と裏支柱とを互いに前後方向で嵌め合う嵌合部を備えれば、前支柱と裏支柱とが適切に位置決めされるとともに、前部品と裏部品とを盤本体から取り外す場合、前部品が前側に直線的に移動するか、または、裏部品が裏側に直線的に移動するかのいずれかに伴い、前支柱と嵌合部との嵌め合いまたは裏支柱と嵌合部との嵌め合いが解除され、前部品と裏部品とを盤本体から取り外すことがやりやすくなるという利点がある。前支柱と裏支柱とが複数対であったり、または、前部品と裏部品とが互いに前後方向で嵌め合う嵌合部を備えたり、前部品または裏部品が盤本体の逃孔に接触する位置決定部を備えたり、または、盤本体が前面または裏面に位置決定部を備え、前部品が裏面にまたは裏部品が前面に盤本体の位置決定部に前後方向で互いに嵌り合う位置決定部を備えたりすれば、前部品および裏部品が盤本体の前面に沿って回転することがなく、前部品および裏部品の盤本体に取り付けられた姿勢が安定し良好に維持できるという利点がある。
【発明を実施するための最良の形態】
【０００６】
図１−図４は、第１実施形態である。図１は、盤本体２と前部品３と裏部品４との組立断面を示す。図２は、盤本体２と前部品３とを分解した外観を示す。図３は、裏部品４の外観を示す。図４は、遊技盤１の正面を示す。
【０００７】
図４を参照し、遊技盤１について説明する。遊技盤１は、盤本体２と前部品３と裏部品４とを備える。前部品３は、盤本体２の前面に設けられる、外レール５、内レール６、球戻り防止弁７、遊技釘８、風車９、センター飾り１０、サイドランプ１１、通過形入賞部品１２、一般入賞部品１３、始動入賞部品１４、可変入賞部品１５、アウト口部品１６、盤面飾り１８、球反発体１９を例示してある。裏部品４は、盤本体２の裏面に設けられ、遊技領域２３から一般入賞部品１３または始動入賞部品１４または可変入賞部品１５またはアウト口部品１６で囲まれたアウト口１７を経由して盤本体２の裏側に排出される球を下方に誘導して排出する、セット板または集合樋と呼ばれる合成樹脂からなる部品を例示してある。遊技釘８は、図示した以外にも、遊技領域２３に存在する。
【０００８】
図２および図３を参照し、遊技盤１の各構成部品について説明する。図２において、盤本体２は、方形板状のベニヤのような合板からなる遊技基板２１の前面に、化粧シート２２を接着剤で結合した形態である。化粧シート２２は、光透過性の無色の合成樹脂からなる方形板状の表面層の裏面に図柄や機種名の描かれた意匠層を印刷し、意匠層の裏面にケント紙のような定着層を接着剤で結合した形態である。そして、定着層の裏面が遊技基板２１の前面に接着剤で結合されることで、化粧シート２２が遊技基板２１の前面に結合されて盤本体２の前面である意匠盤面を形成する。盤本体２には、前部品３と裏部品４とで塞がれる前後方向に貫通する複数の逃孔２４；２５；２６；２７；２８；２９が、遊技領域２３に位置して形成される。逃孔２４−２９としては、センター飾り１０、サイドランプ１１、通過形入賞部品１２、一般入賞部品１３、始動入賞部品１４、可変入賞部品１５のそれぞれに対応するものが例として図示されている。盤本体２の裏面には、位置決定部３０が、右上部と左下部とに形成される。位置決定部３０は、盤本体２の裏面から内部に窪む行き止まりの穴になっている。
【０００９】
外レール５は、ステンレスのような金属帯板状であって、外レール５に結合された図外の固着具が盤本体２の前面から内部に打ち込まれることによって、盤本体２の前面に取り付けられて、盤本体２の右側から左側に弧状に延長する上部弧状を形成する。外レール５が図外の盤面飾りに組み込まれ、当該盤面飾りが盤本体２に取り付けられることによって、外レール５が盤本体２に取り付けられる形態であっても適用できる。内レール６は、ステンレスのような金属帯板状であって、内レール６に結合された図外の固着具が盤本体２の前面から内部に打ち込まれたことによって、盤本体２の前面に取り付けられて、盤本体２の右側から左側に弧状に延長する下部弧状を形成する。内レール６は、盤面飾り１８と単一構成体として形成された合成樹脂であっても適用できる。外レール５と内レール６とがガイドレールを構成し、外レール５と内レール６とが、盤本体２に取り付けられることによって、盤本体２の前面にガイドレールで囲まれた内側に遊技領域２３を形成するとともに、遊技領域２３の左側に連接する発射通路３１を形成する。球戻り防止弁７が発射通路３１の出口を塞ぐように、球戻り防止弁７の基端部が内レール６に取り付けられることによって、球戻り防止弁７は、発射通路３１から球戻り防止弁７を押し開けて遊技領域２３に発射された球が遊技領域２３から発射通路３１に戻るのを防止する。
【００１０】
センター飾り１０は、開口部３４を囲む合成樹脂からなる額縁形状の部品躯体３５における盤本体２の側に位置する裏面に、前支柱３６を複数備える。部品躯体３５と前支柱３６とは、ねじ挿入孔３７を、部品躯体３５と前支柱３６とにわたり前後方向に直線的に貫通する形態に備える。部品躯体３５は、周縁から外側に板状に突出する、取付部３８を備える。前支柱３６は、取付部３８の裏面から裏側に直線的に突出する。開口部３４の裏側開口は、開口部３４の裏面に取り付けられた光透過性の有る無色な合成樹脂からなるパネル３９で塞がれる。遊技釘８は、障害釘とも呼ばれるものであって、遊技釘８の先端部が盤本体２の遊技領域２３における前面から内部に打ち込まれたことによって、盤本体２の前面から前側に突出した遊技釘８の頭部の側が衝突した球に球飛びを生じさせる。風車９は、釘のような軸体の先端部が盤本体２の遊技領域２３における前面から内部に打ち込まれることによって、盤本体２の前面に回転可能に取り付けられる。
【００１１】
サイドランプ１１は、合成樹脂からなる部品躯体４１の内部にＬＥＤのような表示灯を内蔵し、表示灯の点灯・点滅・消灯で遊技を演出する。部品躯体４１における盤本体２の側に位置する裏面に、前支柱４２を複数備える。部品躯体４１と前支柱４２とは、ねじ挿入孔４３を、部品躯体４１と前支柱４２とにわたり前後方向に直線的に貫通する形態に備える。部品躯体４１は、取付部４４を、周縁から外側に板状に突出する形態に備える。前支柱４２は、取付部４４の裏面から裏側に直線的に突出する。
【００１２】
通過形入賞部品１２は、チャッカーとも呼ばれ、遊技領域２３から取り込んだ球を盤本体２の裏側に排出することなく遊技領域２３に排出する形態であって、合成樹脂からなる板状の部品躯体４６における盤本体２の側に位置する裏面に、前支柱４７を複数備える。部品躯体４６と前支柱４７とは、ねじ挿入孔４８を、部品躯体４６と前支柱４７とにわたり前後方向に直線的に貫通する形態に備える。前支柱４７は、部品躯体４６の入球部５０や図外の球検出器を避けた裏面から裏側に直線的に突出する。部品躯体４６は、入球部５０を、前部に、備える。入球部５０は上下方向に貫通する球通路を有する。部品躯体４６は、図外の球検出器を内蔵する。部品躯体４６の球検出器は、入球部５０を上方から下方に通過する球を検出して、電気信号を出力する。
【００１３】
一般入賞部品１３は、遊技領域２３から取り込んだ球を盤本体２の裏側に排出する取込形であって、合成樹脂からなる板状の部品躯体５２における盤本体２の側に位置する裏面に、前支柱５３を複数備える。部品躯体５２と前支柱５３とは、ねじ挿入孔５４を、部品躯体５２と前支柱５３とにわたり前後方向に直線的に貫通する形態に備える。前支柱５３は、部品躯体５２の入球部５５や図外の球検出器を避けた裏面から裏側に直線的に突出する。部品躯体５２は、前部に、入球部５５を、上方および裏面に開放されたポケット形状に備える。部品躯体５２は、図外の球検出器を内蔵する。部品躯体５２の球検出器は、入球部５５を上方から裏側に通過する球を検出して、電気信号を出力する。
【００１４】
始動入賞部品１４は、遊技領域２３から取り込んだ球を盤本体２の裏側に排出する取込形であって、合成樹脂からなる板状の部品躯体５８における盤本体２の側に位置する裏面に、前支柱５９を複数備える。部品躯体５８と前支柱５９とは、ねじ挿入孔６０を、部品躯体５８と前支柱５９とにわたり前後方向に直線的に貫通する形態に備える。前支柱５９は、部品躯体５８の入球部６１や図外の羽根駆動源および図外の球検出器を避けた裏面から裏側に直線的に突出する。部品躯体５８は、前部に、複数の上下に位置する入球部６１を、上方および裏面に開放されたポケット形状に備える。部品躯体５８は、左右一対の羽根６２を、入球部６１の上部に備える。羽根６２は、部品躯体５８の裏面に設けられた電磁ソレノイドのような図外の羽根駆動源で、羽根６２の下部における軸を回転中心として、左右方向に開閉する。部品躯体５８は、図外の球検出器を内蔵する。部品躯体５８の球検出器は、入球部６１を上方から裏側に通過する球を検出して、電気信号を出力する。
【００１５】
可変入賞部品１５は、遊技領域２３から取り込んだ球を盤本体２の裏側に排出する取込形であって、合成樹脂からなる板状の部品躯体６５の盤本体２の側に位置する前支柱６６を複数備える。部品躯体６５と前支柱６６とは、ねじ挿入孔６７を、部品躯体６５と前支柱６６とにわたり前後方向に直線的に貫通する形態に備える。前支柱６６は、部品躯体６５の開閉体６８や図外の開閉駆動源および図外の球検出器を避けた裏面から裏側に直線的に突出する。部品躯体６５は、前部に、開閉体６８を備える。開閉体６８は、部品躯体６５の裏面に設けられた電磁ソレノイドのような図外の開閉駆動源で、開閉体６８の下部における軸を回転中心として、前後方向に開閉する。部品躯体６５は、裏部に、入球部６９を、開閉体６８で開閉される開口および裏面に開放された箱形状に備える。入球部６９は、内部に、Ｖゾーンと呼ばれる特定入賞領域と、カウントゾーンと呼ばれる普通入賞領域とを備える。部品躯体６５は、図外の球検出器を内蔵する。部品躯体６５の球検出器には、特定球検出器と普通球検出器とが存在する。特定球検出器は、開閉体６８により開放された入球部６９の開口から特定入賞領域を裏側に通過する球を検出して、電気信号を出力する。普通球検出器は、開閉体６８により開放された入球部６９の開口から普通入賞領域を裏側に通過する球を検出して、電気信号を出力する。
【００１６】
アウト口部品１６は、遊技領域２３を最下部まで流下した球を盤本体２の裏側に排出するアウト口１７を囲む形状である。アウト口１７は、盤本体２に形成された球通路である。盤面飾り１８は、合成樹脂からなる部品躯体７３の内部にＬＥＤのような表示灯を内蔵し、表示灯の点灯・点滅・消灯で遊技を演出したり、遊技完了や賞球動作を遊技者に知らせたりする。盤面飾り１８は、ガイドレールよりも外側の盤本体２の前面における非遊技領域７４に配置され、遊技領域２３の右上部において、外レール５と内レール６とが互いに近づいた部分を被覆する。球反発体１９は、ゴムまたは軟質合成樹脂のような弾性材から形成されて、盤面飾り１８に取り付けられる。そして、盤面飾り１８が盤本体２の前面に取り付けられることによって、球反発体１９の先端部が外レール５と内レール６との間から遊技領域２３に配置される。
【００１７】
図３において、裏部品４は、裏部品４における図２に示す盤本体２の側に位置する前面に、裏支柱８１；８２；８３；８４；８５；８６を備える。裏支柱８１−８６としては、図２に示すセンター飾り１０の前支柱３６、サイドランプ１１の前支柱４２、通過形入賞部品１２の前支柱４７、一般入賞部品１３の前支柱５３、始動入賞部品１４の前支柱５９、可変入賞部品１５の前支柱６６のそれぞれと対応するものが例として図示されている。裏支柱８１−８６は、ねじ取付孔８７；８８；８９；９０；９１；９２を、裏支柱８１−８６における盤本体２の側に位置する前面に、個別に備える。裏支柱８１−８６の前面における周縁には、嵌合部９３；９４；９５；９６；９７；９８を個別に備える。ねじ取付孔８７−９２および嵌合部９３−９８は、裏支柱８１−８６の一部を拡大して表示した符号Ａ；Ｂ；Ｃ；Ｄ；Ｅ；Ｆで示す部分に図示されている。
【００１８】
嵌合部９３は、センター飾り１０の前支柱３６と前後方向で嵌り合うことによって、裏支柱８１と前支柱３６とを互いに前後方向で嵌め合う部分である。嵌合部９４は、サイドランプ１１の前支柱４２と前後方向で嵌り合うことによって、裏支柱８２と前支柱４２とを互いに前後方向で嵌め合う部分である。嵌合部９５は、通過形入賞部品１２の前支柱４７と前後方向で嵌り合うことによって、裏支柱８３と前支柱４７とを互いに前後方向で嵌め合う部分である。嵌合部９６は、一般入賞部品１３の前支柱５３と前後方向で嵌り合うことによって、裏支柱８４と前支柱５３とを互いに前後方向で嵌め合う部分である。嵌合部９７は、始動入賞部品１４の前支柱５９と前後方向で嵌り合うことによって、裏支柱８５と前支柱５９とを互いに前後方向で嵌め合う部分である。嵌合部９８は、可変入賞部品１５の前支柱６６と前後方向で嵌り合うことによって、裏支柱８６と前支柱６６とを互いに前後方向で嵌め合う部分である。
【００１９】
裏部品４は、盤本体２の裏面に接触する板状であって、複数の位置決定部１０１を、裏部品４における盤本体２の裏面の側に位置する前面に、左上部と右下部とに位置して備える。位置決定部１０１は、盤本体２の位置決定部３０に圧入可能な太さであって、裏部品４の前面から前側に直線的に突出する。裏部品４は、開口部１０２を、センター飾り１０の開口部３４と対応する位置に備える。開口部１０２を囲む周壁１０３は、裏部品４の裏面から裏側に突出する。周壁１０３には、図外の画像表示器が取り付けられる。この画像表示器は、液晶表示器のような電気的に表示画像を変化し得る構造である。画像表示器の表示画像は、開口部１０２およびセンター飾り１０の開口部３４を通して盤本体２の前側から見える。
【００２０】
裏部品４は、通路形成体１０４を、一般入賞部品１３と始動入賞部品１４と可変入賞部品１５およびアウト口１７のそれぞれと対応する位置に備える。通路形成体１０４は、裏部品４の前面から裏側に突出する前方に開放されたフード形状である。通路形成体１０４の前側開口１０５は、一般入賞部品１３と始動入賞部品１４と可変入賞部品１５およびアウト口１７の全部を取り囲む形状である。通路形成体１０４は、下部に、排出口１０６を備える。裏部品４が盤本体２の裏面に取り付けられた場合、通路形成体１０４は、一般入賞部品１３と始動入賞部品１４と可変入賞部品１５およびアウト口１７から盤本体２の裏側に排出された球を下方に誘導して排出口１０６から遊技盤１の外部に排出する。通路形成体１０４の内部には、誘導壁１０７を、始動入賞部品１４と可変入賞部品１５との間に対応する位置に備える。誘導壁１０７は、始動入賞部品１４から盤本体２の裏側に排出された球を、可変入賞部品１５の入球部６９に衝突しないように受け止めて側方に誘導する片流れ形状である。
【００２１】
通路形成体１０４の後壁には、逃孔１０８；１０９を、始動入賞部品１４と可変入賞部品１５とに対応する位置に備える。逃孔１０８は、始動入賞部品１４の図外の羽根駆動源を取り込んで通路形成体１０４より裏側に突出させる孔である。逃孔１０９は、可変入賞部品１５の図外の開閉駆動源を取り込んで通路形成体１０４より裏側に突出させる孔である。通路形成体１０４の後壁には、盤受部１１０を、可変入賞部品１５の前支柱６６と対応する位置に備える。盤受部１１０における盤本体２の裏面の側に位置する前面は、裏部品４の前面と同一面内に位置し、裏部品４が盤本体２の裏面に取り付けられた場合、裏部品４の前面と同じように、盤本体２の裏面に接触する。盤受部１１０の前面には、可変入賞部品１５の前支柱６６と対応する裏支柱８６を同軸状に備える。盤受部１１０の前面は、裏支柱８６の外径よりも大きな外径である。裏部品４には、逃孔１１１；１１２；１１３が、図２のサイドランプ１１、通過形入賞部品１２、一般入賞部品１３と対応する位置に、形成される。逃孔１１１は、サイドランプ１１の表示灯に対する配線を通す前後方向に貫通した孔である。逃孔１１２は、通過形入賞部品１２の球検出器を通す前後方向に貫通した孔である。逃孔１１３は、一般入賞部品１３の球検出器を通す前後方向に貫通した孔である。
【００２２】
外レール５、内レール６、球戻り防止弁７、遊技釘８、風車９、アウト口部品１６、盤面飾り１８、球反発体１９が、逃孔２４−２９の形成された盤本体２に取り付けられた状態において、盤本体２には、センター飾り１０、サイドランプ１１、通過形入賞部品１２、一般入賞部品１３、始動入賞部品１４、可変入賞部品１５などの前部品３と、裏部品４とが取り付けられる。その場合、裏部品４の前面が盤本体２の裏面に向けられ、裏部品４の位置決定部１０１と盤本体２の位置決定部３０とが互いに前後方向から挿入される。これによって、裏部品４が盤本体２に位置決めされた形態となり、裏部品４の前面および盤受部１１０の前面と盤本体２の裏面とが互いに接触し、裏支柱８１−８６が盤本体２の逃孔２４−２９に個別に取り込まれる。その後、センター飾り１０の前支柱３６、サイドランプ１１の前支柱４２、通過形入賞部品１２の前支柱４７、一般入賞部品１３の前支柱５３、始動入賞部品１４の前支柱５９、可変入賞部品１５の前支柱６６が、盤本体２に向けられて盤本体２の前側から逃孔２４−２９に個別に取り込まれる。
【００２３】
そして、センター飾り１０の前支柱３６が、裏部品４における裏支柱８１の嵌合部９３に、前後方向で直線的に嵌め込まれることによって、前支柱３６と裏支柱８１とが互いに前後方向で同軸状に対向した格好で嵌り合うこととなる。サイドランプ１１の前支柱４２が、裏部品４における裏支柱８２の嵌合部９４に、前後方向で直線的に嵌め込まれることによって、前支柱４２と裏支柱８２とが互いに前後方向で同軸状に対向した格好で嵌り合うこととなる。通過形入賞部品１２の前支柱４７が、裏部品４における裏支柱８３の嵌合部９５に、前後方向で直線的に嵌め込まれることによって、前支柱４７と裏支柱８３とが互いに前後方向で同軸状に対向した格好で嵌り合うこととなる。一般入賞部品１３の前支柱５３が、裏部品４における裏支柱８４の嵌合部９６に、前後方向で直線的に嵌め込まれることによって、前支柱５３と裏支柱８４とが互いに前後方向で同軸状に対向した格好で嵌り合うこととなる。始動入賞部品１４の前支柱５９が、裏部品４における裏支柱８５の嵌合部９７に、前後方向で直線的に嵌め込まれることによって、前支柱５９と裏支柱８５とが互いに前後方向で同軸状に対向した格好で嵌り合うこととなる。可変入賞部品１５の前支柱６６が、裏部品４における裏支柱８６の嵌合部９８に、前後方向で直線的に嵌め込まれることによって、前支柱６６と裏支柱８６とが互いに前後方向で同軸状に対向した格好で嵌り合うこととなる。これによって、センター飾り１０、サイドランプ１１、通過形入賞部品１２、一般入賞部品１３、始動入賞部品１４、可変入賞部品１５などの前部品３が、盤本体２の逃孔２４−２９を盤本体２の前側から見えないように塞ぐ。これらの前部品３が逃孔２４−２９を盤本体２の前側から見えないように塞いだ形態は、図４において、逃孔２４−２９が、センター飾り１０、サイドランプ１１、通過形入賞部品１２、一般入賞部品１３、始動入賞部品１４、可変入賞部品１５の内側に仮想線で描かれていることで、容易に理解できるであろう。
【００２４】
次に、タッピングスクリューのような止ねじ１１５；１１６；１１７；１１８；１１９；１２０が、前支柱３６；４２；４７；５３；５９；６６のねじ挿入孔３７；４３；４８；５４；６０；６７から、裏支柱８１−８６のねじ取付孔８７−９２に締結される。これによって、図４に示すように、センター飾り１０、サイドランプ１１、通過形入賞部品１２、一般入賞部品１３、始動入賞部品１４、可変入賞部品１５などの前部品３と裏部品４とが盤本体２を前後方向から挟み付けて盤本体２に取り付けられる。つまり、止ねじ１１５−１２０で取り付けられるセンター飾り１０、サイドランプ１１、通過形入賞部品１２、一般入賞部品１３、始動入賞部品１４、可変入賞部品１５などの前部品３が、盤本体２に位置決めされた裏部品４を介して盤本体２に位置決めされた格好となり、前部品３と裏部品４とが、盤本体２に正確に位置決めされて取り付けられる。これによって、遊技盤１が図４に示す形状に形成される。このように、センター飾り１０、サイドランプ１１、通過形入賞部品１２、一般入賞部品１３、始動入賞部品１４、可変入賞部品１５など、遊技領域２３に配置される全部の前部品３と、裏部品４とが盤本体２に取り付けられた場合、サイドランプ１１の表示灯の配線が、逃孔１１１から裏部品４の裏側に引き出され、通過形入賞部品１２の球検出器が、逃孔１１２から裏部品４の裏側に突出し、一般入賞部品１３の球検出器が、逃孔１１３から裏部品４の裏側に突出し、始動入賞部品１４の球検出器や羽根駆動源が、逃孔１０８から裏部品４の裏側に突出し、可変入賞部品１５の入球部６９や球検出器および開閉駆動源が、逃孔１０９から裏部品４の裏側に突出する。
【００２５】
図１を参照し、前部品３と裏部品４とが盤本体２に取り付けられた構造について説明する。盤本体２が、前記逃孔２４−２９に相当する逃孔１２１を備える。前部品３が、前記前支柱３６；４２；４７；５３；５９；６６に相当する前支柱１２２を備える。前部品３と前支柱１２２とが、前記ねじ挿入孔３７；４３；４８；５４；６０；６７に相当するねじ挿入孔１２３を備える。裏部品４が、前記裏支柱８１−８６に相当する裏支柱１２５を備える。裏支柱１２５が、前記ねじ取付孔８７−９２に相当するねじ取付孔１２６と、前記嵌合部９３−９８に相当する嵌合部１２７とを備える。そして、裏支柱１２５が盤本体２の裏側から逃孔１２１に挿入され、前支柱１２２が盤本体２の前側から逃孔１２１に挿入されて嵌合部１２７に前後方向で直線的に嵌め込まれることによって、前支柱１２２と裏支柱１２５とが互いに前後方向で同軸状に対向した格好で嵌り合うこととなる。この場合、嵌合部１２７に嵌め込まれた前支柱１２２の裏面と裏支柱１２５の前面との間には、図１に示す隙間１２９を生じている。その後、前記止ねじ１１５−１２０に相当する止ねじ１２８が、前部品３の前側からねじ挿入孔１２３を経由してねじ取付孔１２６に締結されることによって、前部品３が逃孔１２１を盤本体２の前側から見えないように塞ぎ、前部品３の裏面が盤本体２の前面に接触し、裏部品４の前面が盤本体２の裏面に接触し、前部品３と裏部品４とが盤本体２を前後方向から挟み付けて盤本体２に取り付けられる。
【００２６】
第１実施形態の構造によれば、図１に示すように、止ねじ１２８が前部品３の前側からねじ挿入孔１２３を経由してねじ取付孔１２６に締結されることによって、前部品３と裏部品４とが盤本体２を前後方向から挟み付けて盤本体２に取り付けられているので、盤本体２に取り付けられた前部品３と裏部品４とを盤本体２から取り外す場合、止ねじ１２８が、遊技盤１の前側からドライバーのような工具で、締結解除方向に回転操作されることによって取り外されるだけで、前部品３と裏部品４とが、盤本体２から取り外せる。よって、前部品３と裏部品４とを盤本体２から取り外すことがやりやすくなるという利点がある。前部品３と裏部品４とが盤本体２に取り付けられることによって、前部品３が逃孔１２１を盤本体２の前側から見えないように塞ぐので、球が遊技領域２３を適切に流下するとともに遊技盤１の前側からの見栄えもよくなるという利点がある。
【００２７】
第１実施形態の構造によれば、裏支柱１２５が前支柱１２２と前後方向で嵌り合う嵌合部１２７を備えているので、前支柱１２２と裏支柱１２５とが適切に位置決めされる。嵌合部１２７が前支柱１２２と前後方向で嵌り合うので、前部品３と裏部品４とを盤本体２から取り外す場合、前部品３が前側に直線的に移動するか、または、裏部品４が裏側に直線的に移動するかのいずれかに伴い、前支柱１２２と嵌合部１２７との嵌め合いが解除され、前部品３と裏部品４とを盤本体２から取り外すことがやりやすくなるという利点がある。嵌合部１２７に嵌め込まれた前支柱１２２の裏面と裏支柱１２５の前面との間に隙間１２９を生じた状態において、止ねじ１２８がねじ挿入孔１２３からねじ取付孔１２６に締結され、前部品３と裏部品４とが盤本体２を前後方向からしっかりと挟み付けるので、前部品３の盤本体２に取り付けられた姿勢が安定するという利点がある。センター飾り１０、サイドランプ１１、通過形入賞部品１２、一般入賞部品１３、始動入賞部品１４、可変入賞部品１５などの前部品３のそれぞれにおいて、前支柱３６；４２；４７；５３；５９；６６と裏支柱裏支柱８１−８６とが複数対で設けられているので、センター飾り１０、サイドランプ１１、通過形入賞部品１２、一般入賞部品１３、始動入賞部品１４、可変入賞部品１５などの前部品３や裏部品４のそれぞれが、盤本体２の前面に沿って回転することがない。よって、当該各前部品３の盤本体２に取り付けられた姿勢が安定し良好に維持される。
【００２８】
図５は、第２実施形態に係る、前部品３と裏部品４と盤本体２との組立断面を示す。前部品３の前支柱１２２がねじ取付孔１２６を備え、裏部品４における裏支柱１２５がねじ挿入孔１２３と嵌合部１２７とを備える。そして、裏支柱１２５が盤本体２の裏側から逃孔１２１に挿入され、前支柱１２２が盤本体２の前側から逃孔１２１に挿入されて嵌合部１２７に前後方向で直線的に嵌め込まれ、前支柱１２２の裏面と裏支柱１２５の前面との間に隙間１２９を生じた状態において、止ねじ１２８が、裏部品４の裏側からねじ挿入孔１２３を経由してねじ取付孔１２６に締結されることによって、前部品３が逃孔１２１を盤本体２の前側から見えないように塞ぎ、前部品３の裏面が盤本体２の前面に接触し、裏部品４の前面が盤本体２の裏面に接触し、前部品３と裏部品４とが盤本体２を前後方向から挟み付けて盤本体２に取り付けられる。要するに、第１実施形態が止ねじ１２８を前部品３の前側から裏支柱１２５に締結したのに対し、第２実施形態は止ねじ１２８を裏部品４の裏側から前支柱１２２に締結した点で第１実施形態と異なる。
【００２９】
図６は、第３実施形態に係る、前部品３と裏部品４と盤本体２との組立断面を示す。前部品３が前支柱１２２と前嵌合部１３１とを裏面に備え、前部品３と前支柱１２２とがねじ挿入孔１２３を備え、裏部品４が裏支柱１２５と裏嵌合部１３２とを前面に備え、裏支柱１２５がねじ取付孔１２６を備える。前嵌合部１３１および裏嵌合部１３２は、前後方向で嵌め合う嵌合部を構成する。そして、前支柱１２２と前嵌合部１３１とが盤本体２の前側から逃孔１２１に挿入され、裏支柱１２５と裏嵌合部１３２とが盤本体２の裏側から逃孔１２１に挿入されることによって、前嵌合部１３１と裏嵌合部１３２とが互いに前後方向で直線的に嵌め込まれる。その後、止ねじ１２８が、前部品３の前側からねじ挿入孔１２３を経由してねじ取付孔１２６に締結されることによって、前部品３が逃孔１２１を盤本体２の前側から見えないように塞ぎ、前部品３の裏面が盤本体２の前面に接触し、裏部品４の前面が盤本体２の裏面に接触し、前部品３と裏部品４とが盤本体２を前後方向から挟み付けて盤本体２に取り付けられる。これによって、前部品３および裏部品４が、盤本体２の前面に沿って回転することがないので、前部品３および裏部品４の盤本体２に取り付けられた姿勢が安定し良好に維持できるという利点がある。要するに、第１・２実施形態が嵌合部１２７を裏支柱１２５または前支柱１２２に設けたのに対し、第３実施形態は前嵌合部１３１と裏嵌合部１３２とを前支柱１２２と裏支柱１２５と別に前部品３や裏部品４に設けた点で第１・２実施形態と異なる。第３実施形態の場合、前支柱１２２にねじ取付孔１２６を設け、裏部品４と裏支柱１２５とにねじ挿入孔１２３を設け、裏部品４の裏側から止ねじ１２８で前部品３と裏部品４とを盤本体２を前後方向から挟み付けて盤本体２に取り付ける構造でも適用できる。
【００３０】
図７は、第４実施形態に係る、前部品３と盤本体２との組立関係を示す。前部品３が前支柱１２２と前位置決定部１３３とを裏面に備え、前部品３と前支柱１２２とがねじ挿入孔１２３を備える。盤本体２が、逃孔１２１の一部としての凹部１３４を、逃孔１２１から外側に連接された格好に備える。そして、前部品３が盤本体２の前側に配置される場合、前支柱１２２と前位置決定部１３３とが逃孔１２１に挿入されることによって、前位置決定部１３３が盤本体２における凹部１３４に挿入されて凹部１３４の周りの部分に接触する。これによって、前位置決定部１３３の外周面の外側一半部が凹部１３４で外側から抱えられる形態となり、前部品３および裏部品４が、盤本体２の前面に沿って回転することがないので、前部品３の盤本体２に取り付けられた姿勢が安定し良好に維持できるという利点がある。第４実施形態の場合、前支柱１２２にねじ取付孔１２６を設け、裏部品４と裏支柱１２５とにねじ挿入孔１２３を設け、裏部品４の裏側から止ねじ１２８で前部品３と裏部品４とを盤本体２を前後方向から挟み付けて盤本体２に取り付ける構造でも適用できる。また、前位置決定部１３３に相当する裏位置決定部を裏部品４に設けても同様に適用できる。
【産業上の利用可能性】
【００３１】
第１実施形態では、裏部品４に盤本体２に対する位置決定部１０１を設けたが、前部品３に盤本体２に対する位置決定部を設けてもよい。非遊技領域７４に配置される盤面飾り１８と裏部品４との取り付けにも適用してもよい。センター飾り１０に代えて、センター電動役物と呼ばれる可変入賞部品を取り付けた形態であってもよい。このセンター電動役物と呼ばれる可変入賞部品は、入球部の左右に開閉する羽根を備え、入球部の内部に、Ｖゾーンと呼ばれる特定入賞領域と、カウントゾーンと呼ばれる普通入賞領域とを備える。そして、羽根が開放中において、遊技領域２３から入球部に入った球は、普通入賞領域を必ず通過し、その後、特定入賞領域に入賞して可変入賞部品から盤本体２の裏側に排出されるか、特定入賞領域に入賞しないで可変入賞部品から盤本体２の裏側に排出され、普通入賞領域を通過する球は、普通球検出器で検出される。特定入賞領域に入賞した球は、特定球検出器で検出される。普通球検出器および特定球検出器は、球を検出した電気信号を図外の制御装置に出力する。当該制御装置は、遊技盤１の裏面または遊技盤１の装着される図外の遊技機枠の裏面に取り付けられ、遊技制御を実行する。
【図面の簡単な説明】
【００３２】
【図１】盤本体と前部品と裏部品との組立構造を示す断面図（第１実施形態）。
【図２】盤本体と前部品とを示す分解斜視図（第１実施形態）。
【図３】裏部品を示す斜視図（第１実施形態）。
【図４】遊技盤を示す正面図（第１実施形態）。
【図５】盤本体と前部品と裏部品との組立構造を示す断面図（第２実施形態）。
【図６】盤本体と前部品と裏部品との組立構造を示す断面図（第３実施形態）。
【図７】盤本体と前部品との組立配置を示す断面図（第４実施形態）。
【符号の説明】
【００３３】
１  遊技盤、２  盤本体、３  前部品、４  裏部品、
１２１  逃孔、１２２  前支柱、１２３  ねじ挿入孔、１２５  裏支柱、
１２６  ねじ取付孔、１２７  嵌合部、１２８  止ねじ、
１３１  前嵌合部、１３２  裏嵌合部、１３３  前位置決定部。
【図１】
2005143911.tif 000003
【図２】
2005143911.tif 000004
【図３】
2005143911.tif 000005
【図４】
2005143911.tif 000006
【図５】
2005143911.tif 000007
【図６】
2005143911.tif 000008
【図７】
2005143911.tif 000009